(57)【要約】【課題】電柱と地表面との間に生じた隙間に雨水が入り込むことを防ぐとともに、この隙間が生じたか否かを容易に点検できるようにする。【解決手段】基部１０５は、シート状の可撓性素材で筒状に形成され、内周面を電柱１０２の外周面に接してこの電柱１０２に取り付けられる。囲繞部１０６は、可撓性素材で形成され基部１０５の一端側から延び、基部１０５の周方向に分割された複数の羽根部１０６ａに分かれ、電柱１０２を取り囲んでいる。シール部１０６ｂは、シート状の可撓性素材で形成される。このシール部１０６ｂは、羽根部１０６ａに対し摺動自在に囲繞部１０６に重ねられ配置される。シール部１０６ｂは、隣接する二つの羽根部１０６ａを跨ぎ羽根部１０６ａの間で拡がる隙間部分１０６ｃを塞ぐ。囲繞部１０６の羽根部１０６ａの下縁１０６ｄとシール部１０６ｂの下縁１０６ｅとは、地表面１０３に接して雨水を堰き止める接触部１０７となる。【選択図】図１
2010236296.tif 000002
【特許請求の範囲】
【請求項１】
可撓性を有する素材で形成され、内周面を電柱の外周面に接してこの電柱に取り付けられる筒状の基部と、
可撓性を有する素材で形成されて前記基部の一端側から延び、前記基部の周方向に分割された複数の羽根部に分けられ、前記電柱を取り囲む囲繞部と、
可撓性を有するシート状の素材で形成されて前記羽根部に対し摺動自在に前記囲繞部に重ねられ、隣接する前記羽根部を跨いで当該羽根部の間の隙間部分を塞ぎ、当該囲繞部とともに地表面に接する接触部を形成するシール部と、
を備える電柱地際カバー。
【請求項２】
前記基部の長さ方向一杯に設けられ前記接触部まで連なるスリットを備える、
請求項１記載の電柱地際カバー。
【請求項３】
前記スリットは、前記軸線方向に対して傾斜する直線状に設けられる、
請求項２記載の電柱地際カバー。
【請求項４】
前記スリットは、前記軸線方向に対して傾斜する直線状の仮想線よりも前記接触部の方向に凸なる曲線状に設けられる、
請求項２記載の電柱地際カバー。
【発明の詳細な説明】
【技術分野】
【０００１】
本発明は、地面に立設する電柱とその地面との間の隙間から雨水が浸入することを防ぐ電柱地際カバーに関する。
【背景技術】
【０００２】
電柱は、その下端部を地面に埋められた状態で立設している。この地面が不安定になると、電柱は倒れやすくなり危険である。特許文献１は、電柱の下端部とその近傍の地表面とを同時に被覆して電柱の下端部及びその周辺部を保護し、電柱の周辺部に雑草が繁殖することを防止するとともに、雨水により電柱が腐食したり、排泄物により電柱の周辺部が汚損されたりすることを防止する電柱カバーの発明を開示している。
【先行技術文献】
【特許文献】
【０００３】
【特許文献１】特開平１１−３５５９４６号公報（図１及び段落００２３参照）
【発明の概要】
【発明が解決しようとする課題】
【０００４】
地面に立設する電柱は、風によって揺れ、電柱と地表面との間に隙間を生じさせる。また、電柱は、揺れることで、地表面下で電柱の下端部の周囲に空間を生じさせる。このような状態で雨が降ると、雨水が電柱の外周を伝って電柱と地表面との間の隙間から浸入し、地表面下の空間に溜まってしまう。この溜まった雨水は、空間の周囲の土壌を侵食してこの空間を大きくし空洞状にしてしまう。その結果、電柱の周囲の地面が陥没したり、電柱が倒れたりするおそれが生じる。
【０００５】
ここで、特許文献１に記載の電柱カバーを電柱に装着した場合を考える。この電柱カバーの地表面被覆部は動かすことができないため、作業者は、電柱と地表面との間に隙間があるかどうかを確認することができない。また、凹凸を有する地表面と平板状の地表面被覆部の下面との間には隙間があり、そこから地表面を流れる雨水が流れ込みやすい。
【０００６】
本発明は、上記の点を鑑みてなされたものであり、電柱と地表面との間に生じた隙間に雨水が入り込むことを防ぐとともに、この隙間が生じたか否かを容易に点検できるようにすることを目的とする。
【課題を解決するための手段】
【０００７】
本発明の電柱地際カバーは、可撓性を有する素材で形成され、内周面を電柱の外周面に接してこの電柱に取り付けられる筒状の基部と、可撓性を有する素材で形成されて前記基部の一端側から延び、前記基部の周方向に分割された複数の羽根部に分けられ、前記電柱を取り囲む囲繞部と、可撓性を有するシート状の素材で形成されて前記羽根部に対し摺動自在に前記囲繞部に重ねられ、隣接する前記羽根部を跨いで当該羽根部の間の隙間部分を塞ぎ、当該囲繞部とともに地表面に接する接触部を形成するシール部と、を備える。
【発明の効果】
【０００８】
本発明によれば、電柱地際カバーの基部を電柱の外周面に取り付け囲繞部の先端側を地表面に接しさせることで、電柱の外周面を流れる雨水を地表面に流すことができ、囲繞部が地表面に接してその先端側にある羽根部の間の隙間部分が拡がっても、シール部が羽根部に対して摺動してこの羽根部とともに羽根部の間の隙間部分を塞ぎ地表面上の雨水を堰き止めるため、電柱と地表面との間に生じた隙間に雨水が入り込むことを防ぐことができる。また、羽根部及びシール部は可撓性を有しており、作業者が羽根部やシール部を捲り上げて電柱と地表面との間に隙間が生じたか否かを容易に点検することができる。
【図面の簡単な説明】
【０００９】
【図１】第一の実施の形態における、電柱に取り付けられた電柱地際カバーの外観斜視図である。
【図２】第一の実施の形態における、羽根部が捲り上げられた電柱地際カバーの外観斜視図である。
【図３】第一の実施の形態の電柱地際カバーの製造方法の第一例を示す説明図である。
【図４】第一の実施の形態における、電柱地際カバーの平面図である。
【図５】第一の実施の形態の電柱地際カバーの製造方法の第二例を示す説明図である。
【図６】第一の実施の形態における、電柱に取り付けられた電柱地際カバーの正面断面図である。
【図７】第二の実施の形態における、電柱に取り付けられた電柱地際カバーの外観斜視図である。
【図８】第三の実施の形態における、電柱に取り付けられた電柱地際カバーの外観斜視図である。
【図９】第三の実施の形態における、接地線が外周面に取り付けられている電柱に取り付けられた電柱地際カバーの外観斜視図である。
【図１０】第四の実施の形態における、電柱に取り付けられた電柱地際カバーの外観斜視図である。
【発明を実施するための形態】
【００１０】
本発明の実施の一形態（第一の実施の形態）について、図１ないし図６に基づいて説明する。
【００１１】
図１は、電柱１０２に取り付けられた電柱地際カバー１０１の外観斜視図である。電柱１０２は、街路や公園等で地表面１０３から立設しており、屋外に曝されている。そのため、電柱１０２は風を受けて揺れる。この揺れによって、電柱１０２と地表面１０３との間には隙間１０４（図２及び図６参照）が生じてしまう。本実施の形態の電柱地際カバー１０１は、電柱１０２の根元に取り付けられて、電柱１０２と地表面１０３との間に生じる隙間１０４に雨水が浸入することを防ぐためのものである。
【００１２】
電柱地際カバー１０１は、円筒形状の基部１０５と、囲繞部１０６とを備えている。基部１０５は、内周面を電柱１０２の外周面に接してこの電柱１０２に取り付けられる。囲繞部１０６は、基部１０５から延び、電柱１０２の根元部分を取り囲んで傘形状をなしている。この囲繞部１０６の先端側は、複数の羽根部１０６ａに分かれている。この羽根部１０６ａの裏側には、シート状のシール部１０６ｂが重ねられている。シール部１０６ｂは、隣接する羽根部１０６ａを跨いで配置され、これらの二つの羽根部１０６ａの間に開く隙間部分１０６ｃを塞ぐ。羽根部１０６ａの下縁１０６ｄとシール部１０６ｂの下縁１０６ｅとは、ともに地表面１０３に接し、地表面１０３を流れる雨水１１１（図６参照）を堰き止める接触部１０７を形成する。
【００１３】
図２は、羽根部１０６ａが捲り上げられた電柱地際カバー１０１の外観斜視図である。電柱地際カバー１０１の囲繞部１０６及びシール部１０６ｂはいずれも、可撓性を有するゴム等の素材で形成されている。そこで、作業者は、囲繞部１０６の先端側に羽根部１０６ａをシール部１０６ｂとともに捲り上げて、電柱１０２と地表面１０３との間に隙間１０４が生じたか否かを点検することができる。図２では、作業者が捲り上げた羽根部１０６ａ及びシール部１０６ｂは、符号「１０６Ａ」で示されている。
【００１４】
図３は、電柱地際カバー１０１の製造方法の第一例を示す説明図である。電柱地際カバー１０１は、円筒部材２０１を基本として形成される。円筒部材２０１は、合成ゴム等の可撓性を有するシート状の素材で形成される。円筒部材２０１の内径は、電柱１０２（図１及び図２参照）の径と同じである。円筒部材２０１の下方部分２０２には、円周方向に等間隔に切れ込み２０３が入れられ、円筒部材２０１の外側方向に折り曲げ加工される。これによって、円筒部材２０１の下方部分２０２は傘形状となり、複数の羽根部１０６ａを有する囲繞部１０６が形成される。ここで、隣接する羽根部１０６ａの側面同士が離れてその間に扇形状の隙間部分１０６ｃが形成されることになる。また、円筒部材２０１の上方で羽根部１０６ａよりも上側の部分は、基部１０５となる。
【００１５】
囲繞部１０６の下面内側には、シール部１０６ｂが重ねて配置される。シール部１０６ｂは、円筒部材２０１と同じ合成ゴム等の可撓性を有するシート状の素材が、矩形形状に切り分けられて形成される。
【００１６】
図４は、電柱地際カバー１０１の平面図である。シール部１０６ｂは、囲繞部１０６となる円筒部材２０１の下方部分２０２の内側で、図４に示すように、隣り合う羽根部１０６ａを跨いでこれらの羽根部１０６ａの間の隙間部分１０６ｃを塞ぐ位置に位置づけられる。そして、シール部１０６ｂは、この上面かつ内側となる箇所ＣＫ（図３も参照）に接着剤等が塗られたり、当該箇所ＣＫが熱で溶かされたりした後に、羽根部１０６ａの下面に接着され、羽根部１０６ａに対して固定される。
【００１７】
このようにすることで、羽根部１０６ａとシール部１０６ｂとは、円筒部材２０１の周回り方向に互いに重なって、電柱１０２の根元部分を覆い隠すことができ、かつ、内部に雨水が入り込まない傘形状構造を形成する。また、羽根部１０６ａとシール部１０６ｂとは、囲繞部１０６の内縁側の一部分の箇所ＣＫしか接続しておらず、囲繞部１０６の外縁部分では互いに摺動自在となっている。
【００１８】
図５は、電柱地際カバー１０１の製造方法の第二例を示す説明図である。ここで、図５に基づいて、前述した製造方法とは異なる電柱地際カバー１０１の製造方法について述べる。ここで述べる製造方法において、シール部１０６ｂは、円筒部材２０１と同じ合成ゴム等の可撓性を有するシート状の素材で形成された円筒部材２０８から作られる。この円筒部材２０８の内径は、電柱１０２（図１及び図２参照）の径と同じである。なお、円筒部材２０１は、その内径が円筒部材２０８の外径と一致するものを用いる。
【００１９】
シール部１０６ｂは、円筒部材２０１から囲繞部１０６を作るのと同じように、下方部分２０９に切れ込み２０７を入れ、円筒部材２０８の外側方向に折り曲げ加工されて形成される。そして、円筒部材２０８は、羽根部１０６ａとシール部１０６ｂとが互い違いに並べられ隣接する羽根部１０６ａの間の隙間部分１０６ｃにシール部１０６ｂが位置づけられるように重ねて円筒部材２０１の内側に挿入され、接着剤等を用いたり熱で溶かしたりすることで円筒部材２０１に接着される。
【００２０】
このような製造方法によっても、羽根部１０６ａとシール部１０６ｂとは、円筒部材２０１の周回り方向に互いに重なって傘形状構造をなすとともに、羽根部１０６ａとシール部１０６ｂとは、互いに摺動自在となる。
【００２１】
また、さらに別の電柱地際カバー１０１の製造方法の例としては、円筒部材２０１そのものを基部１０５とし、この円筒部材２０１の端部に別体なる可撓性を有する矩形形状のシート状部材を取り付けてこのシート状の部材を羽根部１０６ａとするようにしてもよい。すなわち、基部１０５と、羽根部１０６ａを有する囲繞部１０６とは、一体で形成されていても、別体で形成されていても、いずれでもよい。
【００２２】
図１を参照する。作業者は、電柱１０２の設置作業に際して、このような電柱地際カバー１０１を、囲繞部１０６を先に入れるようにして、電柱１０２の上端部となる部分から嵌め込む。電柱１０２は、一般に、円柱状の棒形状であり、電柱１０２の上端部となる部分に入れられた電柱地際カバー１０１を作業者が動かすことは容易である。作業者は、このようにして、電柱地際カバー１０１を動かし、電柱１０２の根元となる部分に位置付ける。このとき、基部１０５の内径は電柱１０２の径と同じなので、電柱１０２とこの電柱１０２に装着された電柱地際カバー１０１の基部１０５との間に隙間が生じない。この後、作業者は、電柱１０２を地面に埋設し、足掛けや架線、トランス等（いずれも図示せず）をこの電柱１０２に位置付ける。
【００２３】
続いて、作業者は、基部１０５を持って電柱地際カバー１０１の全体を下方に押し込み、羽根部１０６ａの下縁１０６ｄ及びシール部１０６ｂの下縁１０６ｅ（すなわち接触部１０７）を地表面１０３に密着させる。これにより、囲繞部１０６は、地表面１０３との間に空間１０９（図６参照）を形成する。また、接触部１０７は地表面１０３から抗力を受け、囲繞部１０６は地表面１０３に密着する。このとき、隣り合う羽根部１０６ａの間の隙間部分１０６ｃは拡がるものの、この隙間部分１０６ｃはシール部１０６ｂによって塞がれる。
【００２４】
この後、作業者は、電柱１０２の外周面と基部１０５の内周面との間に接着剤等を用いて糊付けし、電柱１０２と基部１０５との間の密着性をさらに高めても良い。また、基部１０５の外周に金属製のベルト（図示せず）を巻き、このベルトの両端部分をボルト及びナット等の締結手段（図示せず）で締結してこのベルトで基部１０５を締め付けて電柱１０２と基部１０５との間の密着性をさらに高めてもよい。
【００２５】
図６は、電柱１０２に取り付けられた電柱地際カバー１０１の正面断面図である。本実施の形態の電柱地際カバー１０１は、上記のように取り付けられることにより、電柱１０２の外周面を伝わる雨水１１０を、基部１０５の外周面に逃がす。基部１０５の外周面に逃げた雨水１１０は、傘形状に拡がる囲繞部１０６の羽根部１０６ａの表面を伝って、電柱１０２の外周面から離れた場所に流れ、地表面１０３に到達する。
【００２６】
また、地表面１０３に流れ落ちた雨水１１０や地表面１０３上に存在する雨水１１１は、地表面１０３に接触する接触部１０７に堰き止められる。このため、雨水１１０、１１１は、囲繞部１０６と地表面１０３との間の空間１０９に流れ込まない。結果として、電柱１０２と地表面１０３との間に生じた隙間１０４に、雨水１１０、１１１が入り込むことを防ぐことができる。そして、空洞１１２が生じてしまい電柱１０２の周囲の地面が陥没したり電柱１０２が倒れたりしてしまうことを防止することができる。
【００２７】
さらに、本実施の形態の電柱地際カバー１０１の羽根部１０６ａやシール部１０６ｂは可撓性を有している。このため、作業者は、羽根部１０６ａを一枚ずつ捲り上げて、電柱１０２と地表面１０３との間に隙間１０４が生じたか否かを容易に点検し、電柱１０２と地表面１０３との間にこれまでになかった隙間１０４が生じたか否か、既に生じている隙間１０４が地表面１０３下に空洞１１２を形成させる程に大きくなってしまったか否か、さらには、地表面１０３の陥没のみならず電柱１０２が倒壊する危険性が生じていないか否か等を早期に発見し、電柱１０２の倒壊防止のための地際部分の補強等の迅速な対処を行うことができる。
【００２８】
次いで、本発明の別の実施の一形態（第二の実施の形態）について、図７に基づいて説明する。この場合、前述した第一の実施の形態と同一の部分は同一の符号で示し、説明も省略する。
【００２９】
図７は、電柱１０２に取り付けられた電柱地際カバー１０１の外観斜視図である。本実施の形態は、電柱１０２の設置時のみならず、既設の電柱１０２に対しても設置できるようにした電柱地際カバー１０１である。つまり、電柱地際カバー１０１を、電柱１０２の端部ではなく電柱１０２の側方から導入して、既設の電柱１０２の根元部分に取り付けられるようにしたものである。
【００３０】
本実施の形態の電柱地際カバー１０１は、図７に示すように、基部１０５の長さ方向一杯に設けられ接触部１０７まで連なるスリット１１３を有する。このスリット１１３は、軸線１０８の方向であって、基部１０５の上縁１１４に対して直交する向きに直線状に延びている。本実施の形態の電柱地際カバー１０１は、さらに、重ね代１１５を有する。重ね代１１５は、スリット１１３によって分けられた電柱地際カバー１０１の端部領域１０１Ｌ、１０１Ｒからこの電柱地際カバー１０１の軸回り方向に延びて形成される。この重ね代１１５は、スリット１１３を隠す。そして、本実施の形態の電柱地際カバー１０１には、この電柱地際カバー１０１の基部１０５及び囲繞部１０６の少なくとも一方が、傘形状の周回り方向に拡げようとする外力が加えられた場合に、縮まって元の形に戻ろうとする復元力を生じさせる弾性力を有している。
【００３１】
本実施の形態の電柱地際カバー１０１は、既に屋外に立設されていて架線（図示せず）が取り付けられている電柱１０２に対しても取り付けることができる。つまり、作業者は、電柱地際カバー１０１を持ってスリット１１３を拡げ、基部１０５の内周面を電柱１０２の外周面に接触させる。基部１０５は、周回り方向に縮まろうとして、電柱１０２の外周面に巻き付く。続けて、作業者は、第一の実施の形態と同様に、電柱１０２に巻きついた状態の電柱地際カバー１０１の基部１０５を持って、この電柱地際カバー１０１の囲繞部１０６の羽根部１０６ａの下縁１０６ｄやシール部１０６ｂの下縁１０６ｅが地表面１０３に接触するまで電柱１０２の下方に動かし、電柱１０２の根元に位置付ける。つまり、本実施の形態の電柱地際カバー１０１では、羽根部１０６ａの下縁１０６ｄ及びシール部１０６ｂの下縁１０６ｅが接触部１０７を形成する。
【００３２】
本実施の形態の電柱地際カバー１０１を電柱１０２の根元に取り付けた場合であっても、電柱１０２の外周面を流れる雨水は基部１０５の外周面及び囲繞部１０６の表面を流れて地表面１０３に逃げ、さらに、接触部１０７によって雨水が堰き止められ、電柱と地表面との間に生じた隙間に雨水が入り込むことを防ぐことができる。
【００３３】
また、作業者は、羽根部１０６ａやシール部１０６ｂを捲り上げるだけで、容易に電柱と地表面との間に隙間が生じたか否かを点検できる。
【００３４】
さらに、本実施の形態の電柱地際カバー１０１は、スリット１１３が設けられていて基部１０５を軸回り方向に拡げることができる。電柱１０２は一般に円柱状の棒形状であることは前述したが、厳密には下端部よりも上端部が若干細くなっている。このため、電柱１０２の地面に対する埋設の深さによってこの電柱１０２の根元部分の外径が変わる。これに対し、本実施の形態の電柱地際カバー１０１は、根元部分の外径がさまざまになる電柱１０２に対しても取り付けが可能で、隙間１０４への雨水の浸入を防ぐことができる。
【００３５】
なお、本実施の形態の電柱地際カバー１０１についても、電柱１０２の外周面と基部１０５の内周面との間を接着剤等を用いて糊付けしたり、基部１０５の外周に金属製のベルト（図示せず）を巻き付けてこのベルトの両端部分をボルト及びナット等の締結手段（図示せず）で締結してこのベルトで基部１０５を締め付けたりすることにより、電柱１０２と基部１０５との間の密着性をさらに高めてもよい。
【００３６】
次いで、本発明のさらに別の実施の一形態（第三の実施の形態）について、図８及び図９に基づいて説明する。この場合、これまでに述べた実施の形態と同一の部分は同一の符号で示し、説明も省略する。
【００３７】
図８は、電柱１０２に取り付けられた電柱地際カバー１０１の外観斜視図である。本実施の形態の電柱地際カバー１０１では、図８に示すように、スリット１１３が、基部１０５の軸線１０８に対し傾斜する向きに直線状に設けられている。
【００３８】
前述したように、電柱１０２は、厳密には下端部よりも上端部が若干細くなっていて、電柱１０２の地面に対する埋設の深さによってこの電柱１０２の根元部分の外径が変わる。これに対し、本実施の形態の電柱地際カバー１０１は、電柱１０２に取り付けられた際に電柱１０２の根元部分の外径に応じて基部１０５が拡がり、スリット１１３により分けられた基部１０５の上縁１１４の角部１１４Ｌ、１１４Ｒが間隔ΔＬだけ電柱１０２の周回り方向に離れる。ここで、本実施の形態の電柱地際カバー１０１では、スリット１１３が軸線１０８に対して傾斜する方向に設けられている。このため、スリット１１３によって分けられた電柱地際カバー１０１の端部領域１０１Ｌ、１０１Ｒが上下にずれると、スリット１１３によって分けられた電柱地際カバー１０１の端面１１６Ｌ、１１６Ｒ同士は、擦り合って接する。
【００３９】
本実施の形態の電柱地際カバー１０１も、第四の実施の形態と同様に、既に屋外に立設し架線（図示せず）が取り付けられている電柱１０２に対し、電柱地際カバー１０１の基部１０５を持ってスリット１１３を拡げて基部１０５の内周面を電柱１０２の外周面に接触させることで取り付けることができる。基部１０５は、円筒状であるが故に軸回り方向に拡げられた場合に元の形状に戻ろうとして縮まろうとし、電柱１０２の外周面に巻き付く。続けて、作業者は、これまでに述べた実施の形態と同様に、電柱１０２に巻きついた状態の電柱地際カバー１０１の基部１０５を持って電柱１０２の下方に動かし電柱１０２の根元に位置付ける。このとき、作業者は、本実施の形態の電柱地際カバー１０１の基部１０５を持って下方向に動かし、囲繞部１０６の内面側の一部を地表面１０３に接触させる。すなわち、本実施の形態の電柱地際カバー１０１では、囲繞部１０６の内面側のうち地表面１０３に接する領域が接触部１０７となる。その後、作業者は、電柱１０２の根元部分の径にあわせて端部領域１０１Ｌ、１０１Ｒをずらし、端面１１６Ｌ、１１６Ｒを擦り合わせる。その結果、電柱１０２に取り付けられた電柱地際カバー１０１の囲繞部１０６の羽根部１０６ａは、平面視において渦巻螺旋状をなすように拡がる。この状態で、囲繞部１０６の表面から地表面１０３に流れ落ちた雨水１１０や地表面１０３上に存在する雨水１１１は、渦巻螺旋状に拡がる囲繞部１０６によって堰き止められる。
【００４０】
なお、本実施の形態の電柱地際カバー１０１を電柱１０２に取り付ける際には、基部１０５の外周及び囲繞部１０６の上部に金属ベルトや針金等を巻いて締め付けることにより、スリット１１３において基部１０５と囲繞部１０６との間に生じる隙間を塞ぐことが望ましい。
【００４１】
本実施の形態の電柱地際カバー１０１を電柱１０２の根元に取り付けた場合であっても、雨水が堰き止められるので、電柱と地表面との間に生じた隙間に雨水が入り込むことを防ぐことができる。また、作業者は、囲繞部１０６を捲り上げるだけで、容易に電柱と地表面との間に隙間が生じたか否かを点検できる。さらに、本実施の形態の電柱地際カバー１０１は、電柱１０２が上端部に向けて細くなる棒形状であるが故に取付位置の径が基部１０５の内径と異なっていても、スリット１１３による隙間を生じさせることなく囲繞部１０６と地表面１０３との間の空間１０９に雨水が浸入することを防ぐことができる。
【００４２】
図９は、接地線１２０が外周面に取り付けられている電柱１０２に取り付けられた電柱地際カバー１０１の外観斜視図である。本実施の形態の電柱地際カバー１０１は、上下に延びる接地線１２０（アース線）が外周面に取り付けられている電柱１０２にも取り付け可能である。この接地線１２０は、例えば、電柱１０２の上方に設置されているトランス（図示せず）から電柱１０２の外周面に沿って下方に延び、その先端は地中に埋まっている。
【００４３】
本実施の形態の電柱地際カバー１０１では、スリット１１３が軸線１０８に対して傾斜していて、基部１０５の上縁１１４の一方の角部１１４Ｒは鋭角状になっている。このため、作業者は、本実施の形態の電柱地際カバー１０１を電柱１０２の外周面に取り付ける際に、基部１０５の端部領域１０１Ｒの上方にある角部１１４Ｒを、電柱１０２の外周面と接地線１２０との間に差し込みやすい。作業者は、スリット１１３を広げて基部１０５の内周面を電柱１０２の外周面に接触させ、基部１０５の端部領域１０１Ｒの角部１１４Ｒを電柱１０２の外周面と接地線１２０との間に差し込んだ後、基部１０５を手に持って電柱１０２の外周に沿って回す。こうすることで、電柱地際カバー１０１の端部領域１０１Ｒが電柱１０２の外周面と接地線１２０との間に入り込み、基部１０５の内周面が電柱１０２の外周面に接する。このとき、囲繞部１０６やシール部１０６ｂは、可撓性を有しているために、平面視において、接地線１２０の近傍だけ電柱１０２の外周面に近づくように凹んだ渦巻螺旋状となって、電柱１０２の根元の地際部分を覆い隠す。
【００４４】
本実施の形態の電柱地際カバー１０１を電柱１０２の根元に取り付けた場合であっても、雨水が堰き止められるので、電柱と地表面との間に生じた隙間に雨水が入り込むことを防ぐことができる。また、作業者は、囲繞部１０６の羽根部１０６ａやシール部１０６ｂを捲り上げるだけで、容易に電柱と地表面との間に隙間が生じたか否かを点検できる。さらに、本実施の形態の電柱地際カバー１０１は、電柱１０２が上端部に向けて細くなる棒形状であるが故に取付位置の径が基部１０５の内径と異なっていたり、電柱１０２の外周面に接地線１２０が取り付けられたりしていても、スリット１１３による隙間を生じさせることなく内部に雨水が浸入することを防ぐことができる。
【００４５】
次いで、本発明のさらに別の実施の一形態（第四の実施の形態）について、図１０に基づいて説明する。この場合、これまでに述べた実施の形態と同一の部分は同一の符号で示し、説明も省略する。
【００４６】
図１０は、電柱１０２に取り付けられた電柱地際カバー１０１の外観斜視図である。本実施の形態の電柱地際カバー１０１では、図１０に示すように、スリット１１３が、基部１０５の軸線１０８に対し傾斜する向きに延びている。このスリット１１３は、軸線１０８方向に対して傾斜する直線状の仮想線１２１よりも地表面１０３の方向に向けて凸なる曲線状である。
【００４７】
作業者は、本実施の形態の電柱地際カバー１０１を、これまでに述べた実施の形態と同じように、電柱１０２の側方から取り付けることができる。ここで、本実施の形態の電柱地際カバー１０１においては、スリット１１３が下方に凸なる曲線状に設けられているために、端面１１６Ｌ、１１６Ｒ同士を擦り合わせると、基部１０５の下方が膨らんで基部１０５がテーパ状となる。従って、本実施の形態の電柱地際カバー１０１は、電柱１０２の根元に取り付けられることによって、下端部よりも上端部が若干細いテーパ状となっている電柱１０２の外周面と基部１０５の内周面とがより一層密着する。
【００４８】
本実施の形態の電柱地際カバー１０１を電柱１０２の根元に取り付けた場合であっても、雨水を堰き止めて電柱と地表面との間に生じた隙間に雨水が入り込むことを防ぐことができる。また、作業者は、囲繞部１０６の羽根部１０６ａやシール部１０６ｂを捲り上げるだけで、容易に電柱と地表面との間に隙間が生じたか否かを点検できる。さらに、本実施の形態の電柱地際カバー１０１は、電柱１０２が上端部に向けて細くなる棒形状であるが故にその取り付け位置における電柱１０２の太さが変化してもスリット１１３による隙間を生じさせることなく内部に雨水が浸入することを防ぐことができる。
【００４９】
なお、これまでに述べた実施の形態の電柱地際カバー１０１について、スリット１１３によって形成される電柱地際カバー１０１の端面１１６Ｌ、１１６Ｒを接しさせた状態で、この端面１１６Ｌ、１１６Ｒを鎹（かすがい）で繋ぎ止め、端面１１６Ｌ、１１６Ｒが離れて隙間が生じることがないようにしてもよい。
【符号の説明】
【００５０】
１０１    電柱地際カバー
１０２    電柱
１０３    地表面
１０５    基部
１０６    囲繞部
１０６ａ  羽根部
１０６ｂ  シール部
１０６ｃ  隙間部分
１０７  接触部
１０８  軸線
１１３  スリット
１２１  仮想線
【図１】
2010236296.tif 000003
【図２】
2010236296.tif 000004
【図３】
2010236296.tif 000005
【図４】
2010236296.tif 000006
【図５】
2010236296.tif 000007
【図６】
2010236296.tif 000008
【図７】
2010236296.tif 000009
【図８】
2010236296.tif 000010
【図９】
2010236296.tif 000011
【図１０】
2010236296.tif 000012